(57)【要約】【課題】  有権者が携帯電話機のバーコード読み取り機能を用いて電子投票をおこなうことができ、また、携帯電話機のメール機能を用いて投票管理をおこなうことができる投票および管理システムを提供すること。【解決手段】有権者に対し、投票葉書３を印刷する際、少なくとも有権者の有権者情報と電子投票先のＵＲＬ情報とをバーコードで印刷するようにし、有権者は、携帯電話機４のバーコード読み取り機能を用いてその情報を読み取り、簡単に投票をおこなうことができるようにする。また、有権者からの投票が未完了であった際、所定のタイミングで有権者の携帯電話機４へ、投票の催促情報がメールされるようにする投票および管理システム。 【選択図】図１
2009282921.tif 000002
【特許請求の範囲】
【請求項１】
携帯電話機のバーコード読み取り機能を用いて電子投票をおこなう方法であって、
有権者情報を蓄積するデータベースと、
有権者に送付する投票葉書に対し、少なくとも該有権者の有権者情報と、
電子投票先のＵＲＬ情報と、
をバーコードで印刷する手段と、
携帯電話機からネットワークを介し、前記有権者情報と該有権者が投票する政党名や候補者名の情報とを受信する手段と、
該有権者からの投票が終了したことを示す完了情報を該有権者の携帯電話機へ送信する手段と、
を備えることを特徴とした投票サーバシステム。
【請求項２】
携帯電話機のメール機能を用いて投票管理をおこなう方法であって、
携帯電話機からネットワークを介し、少なくとも有権者の有権者情報と、
該有権者の投票が未完了であった際、該有権者の携帯電話機へメール機能を用いて投票を促すタイミングを示す日時情報と、
該有権者からの投票が終了したことを示す完了情報と、
を受信する手段と、
前記受信する手段より受信した各種情報、あるいは予め収集した有権者情報を蓄積するデータベースと、
前記完了情報が前記日時情報に定めたタイミングまでに受信されなかった際、前記日時情報に定めたタイミングで該有権者の携帯電話機へメール機能を用いて投票の催促情報を送信する手段と、
を備えることを特徴とした管理サーバシステム。
【請求項３】
請求項１記載の携帯電話機のバーコード読み取り機能を用いて電子投票をおこなう方法であって、
投票葉書に印刷されたバーコード情報を読み取る手段と、
前記読み取り手段で読み取ったバーコード情報に含まれる電子投票先のＵＲＬ情報を特定し、
携帯電話機からネットワークを介して、投票サーバシステムへ送信する手段と、
前記投票サーバシステムへ繋がった際、有権者情報と有権者が投票する政党名や候補者名の情報と、
を送信する手段と、
前記投票サーバシステムから該有権者の投票が終了したことを示す完了情報を受信する手段と、
を備えることを特徴とした携帯電話機。
【請求項４】
請求項２記載の携帯電話機のメール機能を用いて投票管理をおこなう方法であって、
請求項２記載の完了情報が請求項２記載の日時情報に定めたタイミングまでに受信されなかった際、
前記日時情報に定めたタイミングで管理サーバシステムからメール機能を用いて発信された投票の催促情報を受信する手段と、
を備えることを特徴とした携帯電話機。
【発明の詳細な説明】
【技術分野】
【０００１】
本発明は、携帯電話機のバーコード読み取り機能を用いて電子投票をおこなうことができ、携帯電話機のメール機能を用いて投票管理をおこなうことができるシステムに関する。
【背景技術】
【０００２】
従来、有権者が選挙の投票をおこなう際、有権者が予め送付された投票葉書を持参し、所定の日時に投票会場へ出向くか、あるいは事前に手続きをおこなったうえで投票葉書を郵送することにより、投票をおこなっていた。しかし、それらの投票方法は、有権者が所定の日時に投票会場へ出向くか、あるいは事前に手続きをおこなったうえで投票葉書を郵送する必要があり、不便が生じていた。一方、近年は、携帯電話機が広く国民に普及し、多機能可していることを背景に、携帯電話機を用いた投票や投票管理方法が求められている。
【０００３】
そこで、有権者が投票会場へ出向く必要がなく、携帯電話機のメール機能を用いて投票するものが提案されている（例えば、特許文献１参照）。
【０００４】
【特許文献１】特開２００５−１０７６８２号公報（請求項１）
【発明の開示】
【発明が解決しようとする課題】
【０００５】
しかしながら、特許文献１にあっては、有権者は携帯電話機を用いて投票することができても、複雑な操作をする必要があり、また、万が一投票を忘れていた際、投票を管理するような仕組みが提案されていないという問題があった。
【０００６】
本発明は、このような問題点に着目してなされたものであり、携帯電話機のバーコード読み取り機能を用いて電子投票をおこなうことができ、また、携帯電話機のメール機能を用いて投票管理をおこなうことができるシステムを提供することを目的とする。
【課題を解決するための手段】
【０００７】
上記課題を解決するために、本発明の請求項１に記載の投票サーバシステムは、
携帯電話機のバーコード読み取り機能を用いて電子投票をおこなう方法であって、
有権者情報を蓄積するデータベースと、有権者に送付する投票葉書に対し、少なくとも該有権者の有権者情報と、
電子投票先のＵＲＬ情報と、をバーコードで印刷する手段と、携帯電話機からネットワークを介し、前記有権者情報と該有権者が投票する政党名や候補者名の情報とを受信する手段と、該有権者からの投票が終了したことを示す完了情報を該有権者の携帯電話機へ送信する手段と、を備えることを特徴としている。
この特徴によれば、データベースに蓄積された有権者情報をもとに、選挙管理局等が有権者に投票葉書を送付する際、少なくとも該有権者の有権者情報と、電子投票先のＵＲＬ情報とを、投票葉書にバーコードで印刷することができ、該有権者は、前記バーコードを携帯電話機のバーコード読み取り機能を用いて簡単に読み取り、簡単に投票をおこなうことができ、また、投票が正常に行われたという確認をその場でおこなうことができる投票サーバシステムを提供することができる。
【０００８】
本発明の請求項２に記載の管理サーバシステムは、
携帯電話機のメール機能を用いて投票管理をおこなう方法であって、
携帯電話機からネットワークを介し、少なくとも有権者の有権者情報と、該有権者の投票が未完了であった際、該有権者の携帯電話機へメール機能を用いて投票を促すタイミングを示す日時情報と、該有権者からの投票が終了したことを示す完了情報と、を受信する手段と、前記受信する手段より受信した各種情報、あるいは予め収集した有権者情報を蓄積するデータベースと、前記完了情報が前記日時情報に定めたタイミングまでに受信されなかった際、前記日時情報に定めたタイミングで該有権者の携帯電話機へメール機能を用いて投票の催促情報を送信する手段と、を備えることを特徴としている。
この特徴によれば、日時情報に定めたタイミングまでに有権者の投票が未完了であった際、前記日時情報に定めたタイミングで、該有権者の携帯電話機へ、メール機能を用いて投票の催促情報を送信することができる管理サーバシステムを提供することができる。
【０００９】
本発明の請求項３に記載の携帯電話機は、
請求項１記載の携帯電話機のバーコード読み取り機能を用いて電子投票をおこなう方法であって、
投票葉書に印刷されたバーコード情報を読み取る手段と、前記読み取り手段で読み取ったバーコード情報に含まれる電子投票先のＵＲＬ情報を特定し、携帯電話機からネットワークを介して、投票サーバシステムへ送信する手段と、前記投票サーバシステムへ繋がった際、有権者情報と有権者が投票する政党名や候補者名の情報と、を送信する手段と、
前記投票サーバシステムから該有権者の投票が終了したことを示す完了情報を受信する手段と、を備えることを特徴としている。
この特徴によれば、有権者は、携帯電話機のバーコード読み取り機能を用いて、バーコード情報に含まれる電子投票先のＵＲＬ情報から簡単に投票をおこなうことができ、更に、投票が終了したことを示す完了情報を得ることができる携帯電話機を提供することができる。
【００１０】
本発明の請求項４に記載の携帯電話機は、
請求項２記載の携帯電話機のメール機能を用いて投票管理をおこなう方法であって、
請求項２記載の完了情報が請求項２記載の日時情報に定めたタイミングまでに受信されなかった際、前記日時情報に定めたタイミングで管理サーバシステムからメール機能を用いて発信された投票の催促情報を受信する手段と、
を備えることを特徴としている。
この特徴によれば、日時情報に定めたタイミングまでに有権者の投票が未完了であった際、前記日時情報に定めたタイミングで、該有権者の携帯電話機へ、メール機能を用いて投票の催促情報を送信することができる携帯電話機を提供することができる。
【発明を実施するための最良の形態】
【００１１】
本発明の実施例を以下に説明する。
【実施例】
【００１２】
本発明の実施例を図面に基づいて説明すると、図１は、本発明の実施例における投票および管理システムの全体を示す図である。
【００１３】
投票および管理システムは、投票サーバシステム１と、管理サーバシステム２と、それらがネットワークを介してアクセスされる携帯電話機４と、から構成される。
【００１４】
投票サーバシステム１は、制御手段１２と、印刷手段１３と、有権者データベース１４と、ネットワーク５を介して、携帯電話機４とアクセスするための送受信手段１１と、から主に構成されているサーバシステムである。
【００１５】
有権者データベース１４には、ハードディスクなどの磁気記憶装置である記憶部（図示略）があり、住基ネット等の情報に基づいた有権者情報が格納されており、一般的に、選挙時には、有権者データベース１４に記憶されている有権者情報を基に有権者に対し、投票葉書３が印刷され、送付されている。
【００１６】
投票サーバシステム１では、有権者に対して送付する投票葉書３が印刷される際、印刷手段１３によって、住基ネット等の情報に基づき、少なくとも有権者情報と、電子投票先のＵＲＬ情報との部分がバーコードで印刷され、有権者に送付されるようになっている。
【００１７】
投票サーバシステム１では、有権者が投票葉書３に印刷されたバーコードを携帯電話機４のバーコード読み取り機能により、ネットワーク５を介して、携帯電話機４から投票を受信するようになっており、その際、受信した内容に含まれる有権者情報と有権者データベース１４との情報を照合し、有権者を特定したうえで、有権者が投票する政党名や候補者名の情報を受信するようになっている。
【００１８】
また、投票サーバシステム１では、有権者からの投票が終了した際、そのことを示す完了情報を有権者の携帯電話機４へ送信するようになっており、それらの処理は、制御手段１２によってなされている。
【００１９】
管理サーバシステム２は、制御手段２２と、会員データベース２３と、ネットワーク５を介して、携帯電話機４とアクセスする送受信手段２１と、から主に構成されているサーバシステムである。
【００２０】
会員データベース２３には、ハードディスクなどの磁気記憶装置である記憶部（図示略）があり、住基ネット等の情報に基づいた有権者情報が格納されている。尚、その際の有権者情報は、住基ネット等からシステム的に情報が収集されることが望ましいが、会員データベース２３の運用者が、それらの情報を独自に収集してもよい。
【００２１】
会員データベース２３では、有権者からの投票が未完了であった際、すなわち完了情報が日時情報に定めたタイミングまでに受信されなかった際、日時情報に定めたタイミングで有権者の携帯電話機４へ、メール機能を用いて投票の催促情報を送信する設定できるようになっている。この設定は、会員データベース２３の運用者か、あるいは、有権者自らが行えるようになっている。運用者がおこなう場合、制御手段２２により直接設定することができ、有権者が自ら行なう際は、有権者が携帯電話機４により、ネットワーク５を介してアクセスし、所定のガイダンスに従って設定することが好ましい。
【００２２】
有権者からの投票が終了した際、その完了情報が投票サーバシステム１から有権者の携帯電話機４へ送信されることは先に述べたが、
有権者が投票の終了を管理サーバシステム２に対しておこなう際、すなわち有権者がネットワーク５を介して、携帯電話機４から完了情報を送信する際、投票サーバシステム１から有権者の携帯電話機４へ送信された完了情報がそのまま送信するようになっていることが好ましい。
【００２３】
また、管理サーバシステム２では、日時情報に定めたタイミングまでに有権者の投票が未完了であった際、日時情報に定めたタイミングで、有権者の携帯電話機４へ、メール機能を用いて投票の催促情報を送信するようになっている。
ことができる管理サーバシステムを提供することができる。尚、それらの処理は、制御手段２２によってなされている。
【００２４】
本発明の請求項３および４に記載の携帯電話機４は、制御手段４２と、読取手段４３と、ネットワーク５を介して、投票サーバシステム１および管理サーバシステム２とアクセスする送受信手段４１と、から主に構成されている。
【００２５】
有権者が投票葉書３を受け取った際、バーコード情報を読み取る手段である読取手段４３で、少なくとも有権者情報と、電子投票先のＵＲＬ情報とを読み取ることにより、簡単に投票サーバシステム１にアクセスすることができるようになっており、有権者は、その場で有権者が投票する政党名や候補者名の情報を入力することができ、投票が終了したことを示す完了情報を受信する仕組みとなっている。
【００２６】
また、本発明の請求項３および４に記載の携帯電話機４は、前記完了情報が前記日時情報に定めたタイミングまでに受信されなかった際、日時情報に定めたタイミングで管理サーバシステム２から投票の催促情報をメールで受信する設定ができるようになっている。それにより、万が一、有権者が投票を忘れていた際、その場で投票を行うことが可能となる。
【図面の簡単な説明】
【００２７】
【図１】本発明の実施例における投票および管理システムの全体像を示すシステム図である。
【符号の説明】
【００２８】
１      投票サーバシステム
２      管理サーバシステム
３      投票葉書
４      携帯電話機
５      ネットワーク
１１    送受信手段
１２    制御手段
１３    印刷手段
１４    有権者ＤＢ
２１    送受信手段
２２    制御手段
２３    会員ＤＢ
４１    送受信手段
４２    制御手段
４３    読取手段
【図１】
2009282921.tif 000003